(57)【要約】【課題】送信元のクロック信号と別個に生成された基準クロック信号とのそれぞれの周期が互いに異なっても基準クロック信号に基づく処理による問題の発生を防ぐことができる同期処理システムを提供する。【解決手段】受信部１１が、送信されたフレームを受信する。記憶部１３には、受信したフレームに含まれているパケットが記憶される。伝送フレーム生成部１４が、基準クロック信号に基づくタイミングで、記憶されているパケットに基づき、所定のスロットに時刻を示すための時刻パケットが格納された伝送フレームを生成する。時刻用クロック信号生成部２３が、時刻用クロック信号を生成する。時刻パケット生成部２５が、時刻用クロック信号に基づいて、時刻パケットを生成する。基準クロック信号および前記時刻用クロック信号は、フレームの送信元のクロック信号とは別個に生成され、変調処理におけるクロック信号と同期している。【選択図】      図９
2018182662.tif 000002
【特許請求の範囲】
【請求項１】
送信されたフレームを受信する受信手段と、
前記受信手段が受信したフレームに含まれているパケットが記憶される記憶手段と、
基準となるクロック信号である基準クロック信号に基づくタイミングで、前記記憶手段に記憶されているパケットに基づき、所定のスロットに時刻を示すための時刻パケットが格納された伝送フレームを生成する伝送フレーム生成手段と、
前記時刻パケットを生成するためのクロック信号である時刻用クロック信号を生成する時刻用クロック信号生成手段と、
前記時刻用クロック信号生成手段が生成した前記時刻用クロック信号に基づいて、前記時刻パケットを生成する時刻パケット生成手段とを備え、
前記基準クロック信号および前記時刻用クロック信号は、前記受信手段が受信したフレームの送信元で行われた生成処理および送信処理におけるクロック信号とは別個に生成された信号である
ことを特徴とする同期処理システム。
【請求項２】
前記基準クロック信号を生成する基準クロック信号生成手段と、
前記基準クロック信号生成手段および前記時刻用クロック信号生成手段に提供するクロック信号を生成する信号源とを含む
請求項１に記載の同期処理システム。
【請求項３】
前記基準クロック信号生成手段は、前記信号源が生成した前記クロック信号に基づいて前記基準クロック信号を生成し、
前記時刻用クロック信号生成手段は、前記信号源が生成した前記クロック信号に基づいて前記時刻用クロック信号を生成する
請求項２に記載の同期処理システム。
【請求項４】
前記時刻パケット生成手段は、前記時刻用クロック信号生成手段が生成した前記時刻用クロック信号における周期の回数を計数する計数手段と、
前記計数手段による計数結果に基づいて、前記時刻パケットに含まれる、時刻を示すデータを生成するデータ生成手段とを含む
請求項１から請求項３のうちいずれか１項に記載の同期処理システム。
【請求項５】
前記時刻パケット生成手段が生成する時刻パケットは、ＮＴＰ方式のＩＰパケットである
請求項１から請求項４のうちいずれか１項に記載の同期処理システム。
【請求項６】
前記伝送フレーム生成手段は、前記基準クロック信号に基づき、所定のスロットに前記時刻パケットを格納する前記伝送フレームを生成するタイミングで、前記時刻パケット生成手段に前記時刻パケットの生成を要求し、
前記時刻パケット生成手段は、前記要求に応じて、前記時刻パケットを生成する
請求項１から請求項５のうちいずれか１項に記載の同期処理システム。
【請求項７】
請求項１から請求項６のうちいずれかに記載の同期処理システムと、
前記伝送フレーム生成手段が生成した前記伝送フレームに変調処理を施す変調手段を含む信号処理装置とを備えた
ことを特徴とする信号処理システム。
【請求項８】
送信されたフレームを受信する受信ステップと、
基準となるクロック信号である基準クロック信号に基づくタイミングで、前記受信ステップで受信したフレームに含まれているパケットが記憶される記憶手段に記憶されているパケットに基づき、所定のスロットに時刻を示すための時刻パケットが格納された伝送フレームを生成する伝送フレーム生成ステップと、
前記時刻パケットを生成するためのクロック信号である時刻用クロック信号を生成する時刻用クロック信号生成ステップと、
前記時刻用クロック信号生成ステップで生成した前記時刻用クロック信号に基づいて、前記時刻パケットを生成する時刻パケット生成ステップとを含み、
前記基準クロック信号および前記時刻用クロック信号は、前記受信ステップで受信したフレームの送信元で行われた生成処理および送信処理におけるクロック信号とは別個に生成された信号である
ことを特徴とする同期処理方法。
【請求項９】
コンピュータに、
送信されたフレームを受信する受信処理と、
基準となるクロック信号である基準クロック信号に基づくタイミングで、前記受信処理で受信したフレームに含まれているパケットが記憶される記憶手段に記憶されているパケットに基づき、所定のスロットに時刻を示すための時刻パケットが格納された伝送フレームを生成する伝送フレーム生成処理と、
前記時刻パケットを生成するためのクロック信号である時刻用クロック信号を生成する時刻用クロック信号生成処理と、
前記時刻用クロック信号生成処理で生成した前記時刻用クロック信号に基づいて、前記時刻パケットを生成する時刻パケット生成処理とを実行させ、
前記基準クロック信号および前記時刻用クロック信号は、前記受信処理で受信されたフレームの送信元で行われた生成処理および送信処理におけるクロック信号とは別個に生成された信号である
ことを特徴とする同期処理用プログラム。
【発明の詳細な説明】
【技術分野】
【０００１】
本発明は、フレームを送受信する同期処理システム、信号処理システム、同期処理方法、および同期処理用プログラムに関する。
【背景技術】
【０００２】
衛星放送では、各放送事業者（委託局ともいう）の信号処理装置から送信された放送用のデータに基づく信号に、受託局（アップリンク局ともいう）の信号処理装置による処理が施されて放送用衛星に送信される。各委託局の各信号処理装置と、受託局の信号処理装置とは、それぞれがクロック信号に基づくタイミングで動作している。
【０００３】
したがって、受託局の信号処理装置は、各委託局の信号処理装置から送信されたデータを通信回線を介して受信し、受託局において基準とするクロック信号である基準クロック信号に基づくタイミングで当該データに送信用の処理を施し、放送用衛星に送信するための信号を生成する。
【０００４】
特許文献１には、所定のスロットにＴＬＶ（Ｔｙｐｅ  Ｌｅｎｇｔｈ  Ｖａｌｕｅ）パケットを格納した伝送主信号を生成して、送信する送信システムが記載されている。また、特許文献１には、送信システムにおける伝送スロット化装置が、伝送クロックに基づいて処理を行うことが記載されている。
【０００５】
特許文献２には、送信側が基準クロックをＮＴＰ（Ｎｅｔｗｏｒｋ  Ｔｉｍｅ  Ｐｒｏｔｏｃｏｌ）サーバが送信したデータに同期させるとともにクロックを示す情報を送信し、受信側が当該情報に基づいてクロック信号を生成する方法が記載されている。
【０００６】
特許文献３には、送信側と受信側とが、放送用衛星から受信したデータに基づきクロック信号を再生するシステムが記載されている。
【先行技術文献】
【特許文献】
【０００７】
【特許文献１】特開２０１６−１７４２９９号公報
【特許文献２】特開２０１６−１９５３８０号公報
【特許文献３】特許第５９８８５２９号公報
【発明の概要】
【発明が解決しようとする課題】
【０００８】
各委託局の信号処理装置において用いられているそれぞれのクロック信号の周期と、受託局の信号処理装置において用いられている基準クロック信号の周期とに差異が生じうる。すると、受託局においてなされる処理で、所定のスロットに、格納されるべきデータが格納されないという問題が生じうる。
【０００９】
したがって、特許文献１に記載されたシステムでは、所定のスロットに、格納されるべきデータが格納されないという問題が生じうる。また、特許文献２に記載されたシステムは、送信側と受信側との間に、基準クロック情報の送受信用の通信回線を用意しなければならず、多額の費用を要するという問題がある。特許文献３に記載されたシステムでは、各放送事業者の信号処理装置が放送衛星によって送信されたデータを受信しなければならず、やはり、多額の費用を要するという問題がある。
【００１０】
そこで、本発明は、送信元の処理におけるクロック信号と別個に生成された基準クロック信号とのそれぞれの周期が互いに異なった場合であっても基準クロック信号に基づく処理による問題の発生を防ぐことができる同期処理システム、信号処理システム、同期処理方法、および同期処理用プログラムを提供することを目的とする。
【課題を解決するための手段】
【００１１】
本発明による同期処理システムは、送信されたフレームを受信する受信手段と、前記受信手段が受信したフレームに含まれているパケットが記憶される記憶手段と、基準となるクロック信号である基準クロック信号に基づくタイミングで、前記記憶手段に記憶されているパケットに基づき、所定のスロットに時刻を示すための時刻パケットが格納された伝送フレームを生成する伝送フレーム生成手段と、前記時刻パケットを生成するためのクロック信号である時刻用クロック信号を生成する時刻用クロック信号生成手段と、前記時刻用クロック信号生成手段が生成した前記時刻用クロック信号に基づいて、前記時刻パケットを生成する時刻パケット生成手段とを備え、前記基準クロック信号および前記時刻用クロック信号は、前記受信手段が受信したフレームの送信元で行われた生成処理および送信処理におけるクロック信号とは別個に生成された信号であることを特徴とする。
【００１２】
本発明による信号処理システムは、いずれかの態様の同期処理システムと、前記伝送フレーム生成手段が生成した前記伝送フレームに変調処理を施す変調手段を含む信号処理装置とを備えたことを特徴とする。
【００１３】
本発明による同期処理方法は、送信されたフレームを受信する受信ステップと、基準となるクロック信号である基準クロック信号に基づくタイミングで、前記受信ステップで受信したフレームに含まれているパケットが記憶される記憶手段に記憶されているパケットに基づき、所定のスロットに時刻を示すための時刻パケットが格納された伝送フレームを生成する伝送フレーム生成ステップと、前記時刻パケットを生成するためのクロック信号である時刻用クロック信号を生成する時刻用クロック信号生成ステップと、前記時刻用クロック信号生成ステップで生成した前記時刻用クロック信号に基づいて、前記時刻パケットを生成する時刻パケット生成ステップとを含み、前記基準クロック信号および前記時刻用クロック信号は、前記受信ステップで受信したフレームの送信元で行われた生成処理および送信処理におけるクロック信号とは別個に生成された信号であることを特徴とする。
【００１４】
本発明による同期処理用プログラムは、コンピュータに、送信されたフレームを受信する受信処理と、基準となるクロック信号である基準クロック信号に基づくタイミングで、前記受信処理で受信したフレームに含まれているパケットが記憶される記憶手段に記憶されているパケットに基づき、所定のスロットに時刻を示すための時刻パケットが格納された伝送フレームを生成する伝送フレーム生成処理と、前記時刻パケットを生成するためのクロック信号である時刻用クロック信号を生成する時刻用クロック信号生成処理と、前記時刻用クロック信号生成処理で生成した前記時刻用クロック信号に基づいて、前記時刻パケットを生成する時刻パケット生成処理とを実行させ、前記基準クロック信号および前記時刻用クロック信号は、前記受信処理で受信されたフレームの送信元で行われた生成処理および送信処理におけるクロック信号とは別個に生成された信号であることを特徴とする。
【発明の効果】
【００１５】
本発明によれば、送信元の処理におけるクロック信号と別個に生成された基準クロック信号とのそれぞれの周期が互いに異なった場合であっても基準クロック信号に基づく処理による問題の発生を防ぐことができる。
【図面の簡単な説明】
【００１６】
【図１】第１の実施形態の信号処理システムの構成例を示すブロック図である。
【図２】送信側信号処理装置の構成例を示すブロック図である。
【図３】第１の実施形態における同期処理システムの構成を示すブロック図である。
【図４】受信側信号処理装置の構成例を示すブロック図である。
【図５】送信側信号処理装置の動作を示すフローチャートである。
【図６】同期処理システムの動作を示すフローチャートである。
【図７】受信側信号処理装置の動作を示すフローチャートである。
【図８】第２の実施形態の同期処理システムの構成例を示すブロック図である。
【図９】第３の実施形態の同期処理システムの構成例を示すブロック図である。
【発明を実施するための形態】
【００１７】
実施形態１．
第１の実施形態について、図面を参照して説明する。図１は、第１の実施形態の信号処理システム５００の構成例を示すブロック図である。
【００１８】
図１に示すように、第１の実施形態の信号処理システム５００は、同期処理システム３００と、受信側信号処理装置４００とを含む。同期処理システム３００と受信側信号処理装置４００とは、互いに接続されている。そして、信号処理システム５００は、受託局６００に設置されている。
【００１９】
同期処理システム３００には、例えば、通信回線を介して送信側信号処理装置２１０が接続されている。また、送信側信号処理装置２１０には、クロック信号提供装置２２０が接続されている。そして、送信側信号処理装置２１０とクロック信号提供装置２２０とは、委託局２００に設置されている。
【００２０】
委託局２００は、例えば、放送事業者の局舎である。受託局６００は、例えば、放送用衛星に信号を送信する事業者の局舎である。
【００２１】
送信側信号処理装置２１０には、例えば、映像や音声に応じたデータが入力される。クロック信号提供装置２２０には、例えば、１０ＭＨｚ等の周波数の信号を生成する発振器が設けられている。そして、クロック信号提供装置２２０は、当該発振器が生成した信号に基づいて、３３．７５６１ＭＨｚ等の周波数のクロック信号を生成して、送信側信号処理装置２１０に提供する。
【００２２】
送信側信号処理装置２１０は、入力されたデータに基づくＩＰ（Ｉｎｔｅｒｎｅｔ  Ｐｒｏｔｏｃｏｌ）パケットを生成して送信する。送信側信号処理装置２１０が送信した信号は通信回線を介して同期処理システム３００によって受信される。
【００２３】
また、図１に示すように、本例では、説明の簡単のため、一の受託局６００に設置された一の同期処理システム３００に、一の委託局２００に設置された一の送信側信号処理装置２１０が接続されているとして説明する。しかし、受託局６００に設置された同期処理システム３００には、複数の委託局のそれぞれに設置された複数の送信側信号処理装置が接続されていてもよい。
【００２４】
同期処理システム３００は、送信側信号処理装置２１０によって送信されたＩＰパケットを受信する。そして、同期処理システム３００は、ＩＰパケットに基づいて適式な伝送フレームを生成する伝送フレーム生成処理を行う。
【００２５】
そして、受信側信号処理装置４００は、同期処理システム３００によって生成された伝送フレームに基づいて送信用信号を生成する。
【００２６】
生成された送信用信号は、送信設備７００によって放送用衛星に向けて送信される。そして、送信用信号を受信した放送用衛星が、送信用信号に基づく放送信号を送信し、当該放送信号を受信した受信機が、当該放送信号に基づく映像や音声を再生したり、データ放送用データや番組配列情報、電子番組ガイド等を出力したりする。なお、送信設備７００は、例えば、受託局６００の局舎外に設置された衛星通信用アンテナを含む。
【００２７】
図２は、送信側信号処理装置２１０の構成例を示すブロック図である。図２に示すように、送信側信号処理装置２１０は、ＭＭＴ（ＭＰＥＧ（Ｍｏｖｉｎｇ  Ｐｉｃｔｕｒｅ  Ｅｘｐｅｒｔｓ  Ｇｒｏｕｐ）  Ｍｅｄｉａ  Ｔｒａｎｓｐｏｒｔ）多重部２１１と、ＴＬＶ多重部２１２とを含む。
【００２８】
ＭＭＴ多重部２１１には、受信機によって再生される映像や音声に応じたデータである再生用データと、データ放送用データと、番組配列情報および電子番組ガイド（ＳＩ（Ｓｅｒｖｉｃｅ  Ｉｎｆｏｒｍａｔｉｏｎ）／ＥＰＧ（Ｅｌｅｃｔｒｏｎｉｃ  Ｐｒｏｇｒａｍ  Ｇｕｉｄｅ））用データとが入力される。
【００２９】
そして、ＭＭＴ多重部２１１は、入力された各データを互いに多重して、各データを含む、ＭＭＴ形式のＩＰパケットであるＭＭＴパケットを生成する。
【００３０】
ＴＬＶ多重部２１２には、ＭＭＴ多重部２１１が生成したＭＭＴパケットと、時刻を示すデータを含むＮＴＰパケットとが入力される。なお、ＮＴＰパケットは、例えば、外部のＮＴＰサーバから受信される。ＴＬＶ多重部２１２は、入力されたＭＭＴパケットとＮＴＰパケットとを互いに多重して、当該パケットを含む形式のＩＰパケットであるＴＬＶパケットを生成する。
【００３１】
そして、ＴＬＶ多重部２１２は、生成したＴＬＶパケットによって構成されたフレームと、当該フレーム内の各スロットのストリームの種別や変調方式の情報を示すＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｌａｔｉｏｎ  Ｃｏｎｔｒｏｌ）信号とを同期処理システム３００に送信する。
【００３２】
図３は、同期処理システム３００の構成を示すブロック図である。図３に示すように、同期処理システム３００は、入出力装置３１０および同期処理用装置３２０を含む。なお、同期処理システム３００は、入出力装置３１０と同期処理用装置３２０とを含む一の装置によって実現されてもよい。
【００３３】
そして、入出力装置３１０は、受信部（受信手段）３１１、分配部３１２、バッファ部（記憶手段）３１３−１，３１３−２、多重化部（伝送フレーム生成手段）３１４、および送信部３１５を含む。
【００３４】
受信部３１１は、送信側信号処理装置２１０が送信したフレームおよびＴＭＣＣ信号を通信回線を介して受信する。受信部３１１は、受信したフレームおよびＴＭＣＣ信号を分配部３１２に入力する。
【００３５】
分配部３１２は、入力されたＴＭＣＣ信号に応じて、入力されたフレームに含まれているＴＬＶパケットをバッファ部３１３−１，３１３−２に入力する。
【００３６】
バッファ部３１３−１，３１３−２には、入力されたＴＬＶパケットが記憶される。なお、バッファ部３１３−１，３１３−２は、受信側信号処理装置４００がＴＬＶパケットに施す変調の方式や誤り訂正の割合に応じて用意される。具体的には、本例では、受信側信号処理装置４００が、誤り訂正の符号化率を１／２としＱＰＳＫ（Ｑｕａｄｒａｔｕｒｅ  Ｐｈａｓｅ−Ｓｈｉｆｔ  Ｋｅｙｉｎｇ）方式の変調を施すＴＬＶパケットが記憶されるバッファ部３１３−２と、誤り訂正の符号化率を７／９とし１６ＡＰＳＫ（Ａｍｐｌｉｔｕｄｅ  ａｎｄ  Ｐｈａｓｅ−Ｓｈｉｆｔ  Ｋｅｙｉｎｇ）方式の変調を施すＴＬＶパケットが記憶されるバッファ部３１３−１とが用意されている。
【００３７】
多重化部３１４は、バッファ部３１３−１，３１３−２に記憶されているＴＬＶパケットを読み出して、読み出したＴＬＶパケットを含む伝送フレームを生成する。
【００３８】
送信部３１５は、多重化部３１４が生成した伝送フレームを受信側信号処理装置４００に送信する。
【００３９】
なお、受信部３１１および送信部３１５は、例えば、通信用回路によって実現される。分配部３１２および多重化部３１４は、例えば、プログラム制御に従って処理を実行するＣＰＵ（Ｃｅｎｔｒａｌ  Ｐｒｏｃｅｓｓｉｎｇ  Ｕｎｉｔ）や、複数の回路によって実現される。バッファ部３１３−１，３１３−２は、例えば、メモリ等の記憶手段によって実現される。
【００４０】
また、図３に示すように、同期処理用装置３２０は、信号源３２１、基準クロック信号生成部（基準クロック信号生成手段）３２２、カウンタ用クロック信号生成部（時刻用クロック信号生成手段）３２３、カウンタ（計数手段）３２４、およびＮＴＰパケット生成部（時刻パケット生成手段、データ生成手段）３２５を含む。
【００４１】
信号源３２１は、所定の周波数の信号を生成する。具体的には、信号源３２１は、例えば、５ＭＨｚ等の周波数の信号を生成する発振器である。
【００４２】
なお、信号源３２１の発振器と、クロック信号提供装置２２０に設けられている発振器とは、互いに同期するための処理が行われないとする。したがって、信号源３２１が生成した信号と、クロック信号提供装置２２０が提供するクロック信号とは、互いに別個に生成されている。
【００４３】
基準クロック信号生成部３２２は、信号源３２１が生成した信号に基づいて、受信側信号処理装置４００や、入出力装置３１０、特に、多重化部３１４に提供するクロック信号（基準クロック信号）を生成する。なお、基準クロック信号は、例えば、３３．７５６１ＭＨｚ等の周波数のクロック信号である。
【００４４】
カウンタ用クロック信号生成部３２３は、信号源３２１が生成した信号に基づいて、カウンタ３２４に提供するクロック信号（カウンタ用クロック信号）を生成する。なお、カウンタ用クロック信号は、例えば、２３２Ｈｚの周波数のクロック信号である。
【００４５】
カウンタ３２４は、カウンタ用クロック信号生成部３２３が生成したカウンタ用クロック信号に基づいて、カウント値をカウントアップする。具体的には、カウンタ３２４は、例えば、カウンタ用クロック信号に基づくタイミングで、予めセットされたＮＴＰサーバ（図示せず）から受信したＮＴＰデータに示されている値をカウントアップして、カウント値を生成する。したがって、カウンタ３２４によって、カウンタ用クロック信号の周期の回数が計数されてカウンタ値に加算される。
【００４６】
ＮＴＰパケット生成部３２５は、カウンタ３２４が生成したカウント値を示すＮＴＰデータを生成して、当該ＮＴＰデータを含むＮＴＰ形式のＩＰパケットであるＮＴＰパケットを生成する。なお、ＮＴＰパケットとは、例えば、ＮＴＰ形式のＩＰパケットである。
【００４７】
図４は、受信側信号処理装置４００の構成例を示すブロック図である。
【００４８】
図４に示すように、受信側信号処理装置４００は、受信部４０１、変調部４０２、および送信部４０３を含む。
【００４９】
受信部４０１は、入出力装置３１０の送信部３１５が送信した伝送フレームを受信する。
【００５０】
変調部４０２は、受信部４０１が受信した伝送フレームに、誤り訂正用の処理、および所定の変調方式の変調処理を施し、各処理後の信号である送信用信号を生成する。なお、本例では、伝送フレームは１２０スロットからなり、第１〜第１００スロットにはバッファ部３１３−２に記憶されていたＴＬＶパケットがそれぞれ格納され、誤り訂正の符号化率を１／２としＱＰＳＫ方式の変調処理が施される。そして、第１〜第１００スロットは、より伝送容量が大きいスロットである高階層のスロットと呼ばれる。また、第１０１〜第１２０スロットにはバッファ部３１３−１に記憶されていたＴＬＶパケットがそれぞれ格納され、誤り訂正の符号化率を７／９とし１６ＡＰＳＫ方式の変調処理が施される。そして、第１０１〜第１２０スロットは、より誤り訂正の能力が高いスロットである低階層のスロットと呼ばれる。
【００５１】
送信部４０３は、変調部４０２が生成した送信用信号を送信する。
【００５２】
次に、第１の実施形態の動作について説明する。図５は、送信側信号処理装置２１０の動作を示すフローチャートである。
【００５３】
なお、送信側信号処理装置２１０におけるＭＭＴ多重部２１１およびＴＬＶ多重部２１２は、クロック信号提供装置２２０が提供したクロック信号に基づくタイミングで、各処理を行う。
【００５４】
ＭＭＴ多重部２１１は、再生用データと、データ放送用データと、番組配列情報および電子番組ガイド用データとを互いに多重して、各データを含む、ＭＭＴ形式のＩＰパケットであるＭＭＴパケットを生成する（ステップＳ１０１）。
【００５５】
ＴＬＶ多重部２１２は、ステップＳ１０１の処理でＭＭＴ多重部２１１によって生成されたＭＭＴパケットとＮＴＰパケットとを互いに多重して、当該パケットを含む形式のＩＰパケットであるＴＬＶパケットを生成する（ステップＳ１０２）。
【００５６】
そして、ＴＬＶ多重部２１２は、生成したＴＬＶパケットによってフレームを構成し、構成した当該フレームと、当該フレーム内の各スロットのストリームの種別や変調方式の情報を示すＴＭＣＣ信号とを同期処理システム３００に送信する（ステップＳ１０３）。
【００５７】
図６は、同期処理システム３００による伝送フレーム生成処理の動作を示すフローチャートである。なお、同期処理システム３００は、カウンタ３２４を除いて、基準クロック信号生成部３２２が提供した基準クロック信号に基づくタイミングで、各処理を行う。
【００５８】
図６に示すように、受信部３１１は、送信側信号処理装置２１０が送信したフレームおよびＴＭＣＣ信号を通信回線を介して受信する（ステップＳ２０１）。受信部３１１は、受信したフレームおよびＴＭＣＣ信号を分配部３１２に入力する。
【００５９】
分配部３１２は、入力されたＴＭＣＣ信号に応じて、入力されたフレームに含まれているＴＬＶパケットをバッファ部３１３−１，３１３−２に入力する（ステップＳ２０２）。バッファ部３１３−１，３１３−２に入力されたＴＬＶパケットは、当該バッファ部３１３−１，３１３−２に記憶される。なお、分配部３１２は、例えば、入力された順序に応じて、ＴＬＶパケットをバッファ部３１３−１またはバッファ部３１３−２に入力する。具体的には、例えば、バッファ部３１３−１には第１〜第１００スロットに応じたバッファが用意され、バッファ部３１３−２には第１０１〜第１２０スロットに応じたバッファが用意されている。そして、分配部３１２は、各スロットに付された番号に応じたバッファに、当該番号順でサイクリックに、入力された順序に応じたＴＬＶパケットが入力される。すると、分配部３１２は、例えば、ＴＭＣＣ信号によって示されている、フレーム内の各スロットのストリームの変調方式の情報に応じて、入力されたフレームに含まれているＴＬＶパケットをバッファ部３１３−１，３１３−２のうち、対応する変調方式等に応じたバッファに入力することになるはずである。具体的には、分配部３１２は、例えば、ＴＭＣＣ信号に応じて、ＮＴＰパケットに基づくＴＬＶパケットを、電波伝搬状況が悪化してもより確実にデータを送信可能な多値数がより少ない変調方式に応じたバッファであるバッファ部３１３−１に入力する。また、分配部３１２は、例えば、ＴＭＣＣ信号に応じて、ＭＭＴパケットに基づくＴＬＶパケットを、伝送効率がより高くなるように多値数がより多い変調方式に応じたバッファであるバッファ部３１３−２に入力する。
【００６０】
多重化部３１４は、バッファ部３１３−１，３１３−２に記憶されているＴＬＶパケットを含む伝送フレームを生成する（ステップＳ２０３）。本例では、伝送フレームは、１２０スロットから成るとする。そして、多重化部３１４は、例えば、所定のパケットが所定のスロットに格納されるように、伝送フレームを構成する。
【００６１】
ここで、多重化部３１４は、ＮＴＰパケットが第１０１スロットに格納されるように、伝送フレームを構成する。なお、信号源３２１の発振器と、クロック信号提供装置２２０に設けられている発振器とは、互いに同期するための処理が行われない。すると、委託局２００のクロック信号提供装置２２０が提供したクロック信号の周期が、同期処理用装置３２０の基準クロック信号生成部３２２が提供した基準クロックの周期よりも、長くなったり短くなったりし得る。そのような場合には、ＮＴＰパケットが第１０１スロットでない他のスロットに格納された伝送フレームが構成され得る。
【００６２】
そこで、多重化部３１４は、ステップＳ２０３の処理における第１０１スロットにパケットを格納するときに、例えば、ＮＴＰパケット生成部３２５に、ＮＴＰパケットの生成を要求する。ＮＴＰパケット生成部３２５は、当該要求に応じて、カウンタ３２４からカウント値を読み出す。そして、ＮＴＰパケット生成部３２５は、読み出したカウント値を示すＮＴＰデータを含むＮＴＰパケットを生成する。そして、ＮＴＰパケット生成部３２５は、多重化部３１４に、生成したＮＴＰパケットを送信する。多重化部３１４は、ＮＴＰパケット生成部３２５によって生成されたＮＴＰパケットを第１０１スロットに格納した伝送フレームを生成する。
【００６３】
送信部３１５は、ステップＳ２０３の処理で生成された伝送フレームを受信側信号処理装置４００に送信する（ステップＳ２０４）。
【００６４】
図７は、受信側信号処理装置４００の動作を示すフローチャートである。なお、受信側信号処理装置４００は、同期処理用装置３２０の基準クロック信号生成部３２２が生成した基準クロック信号に基づくタイミングで、各処理を行う。
【００６５】
図７に示すように、受信部４０１は、入出力装置３１０の送信部３１５が送信した伝送フレームを受信する（ステップＳ３０１）。
【００６６】
変調部４０２は、受信部４０１が受信した伝送フレームに基づいて、各スロットに応じて所定の誤り訂正の符号化率で所定の変調方式の変調処理を搬送波に施し、変調処理後の信号である送信用信号を生成する（ステップＳ３０２）。
【００６７】
送信部４０３は、変調部４０２が生成した送信用信号を送信する（ステップＳ３０３）。
【００６８】
本実施形態によれば、送信側信号処理装置２１０と受信側信号処理装置４００とが別個に生成されたクロック信号に基づいてそれぞれ動作し、同期処理システム３００と受信側信号処理装置４００とは、信号源３２１が生成した信号に基づく基準クロック信号およびカウンタ用クロック信号に基づいて動作する。そして、同期処理システム３００が、基準クロック信号に基づき、カウンタ用クロック信号に基づいて生成したＮＴＰパケットが所定のスロット（本例では第１０１スロット）に格納されるように伝送フレームを生成する。
【００６９】
したがって、受託局６００にＮＴＰサーバを設置したり、伝送フレームを生成する度にＮＴＰサーバと通信するための手段を用意したりすることなく、適切なＮＴＰパケットが適切なスロットに格納された伝送フレームを生成することができる。
【００７０】
そして、受信側信号処理装置４００が基準クロック信号に基づいて動作するので、当該伝送フレームに基づく送信用信号を適切に送信することができる。
【００７１】
実施形態２．
次に、第２の実施形態について、図面を参照して説明する。図８は、第２の実施形態における同期処理システム８００の構成例を示すブロック図である。
【００７２】
第２の実施形態における同期処理システム８００は、ＮＴＰサーバ通信部８２３を含む同期処理用装置８２０を含む点で、図３に示す第１の実施形態における同期処理システム３００と異なる。その他の構成は第１の実施の形態における構成と同様なため、その他の構成要素には第１の実施形態において対応する構成要素と同様な符号を付して説明を省略する。
【００７３】
多重化部３１４は、第１０１スロットにパケットを格納するときに、例えば、ＮＴＰサーバ通信部８２３に、ＮＴＰパケットの入力を指示する。ＮＴＰサーバ通信部８２３は、多重化部３１４の指示に応じて、ＮＴＰサーバに応答のＮＴＰパケットの送信を要求し、当該要求に応じて送信されたＮＴＰパケットを受信して、受信したＮＴＰパケットを多重化部３１４に入力する。
【００７４】
多重化部３１４は、ＮＴＰサーバ通信部８２３が受信したＮＴＰパケットが第１０１スロットに格納されるように、伝送フレームを構成する。
【００７５】
なお、多重化部３１４およびＮＴＰサーバ通信部８２３のうち少なくとも一方が、ＮＴＰサーバによって送信されたＮＴＰパケットの形式を適宜変更したり、必要とされるデータを読み出したりして、ＮＴＰパケットを再生成するように構成されていてもよい。
【００７６】
本実施形態によれば、送信側信号処理装置２１０と受信側信号処理装置４００とが別個に生成されたクロック信号に基づいてそれぞれ動作し、同期処理システム８００と受信側信号処理装置４００とは、信号源３２１が生成した信号に基づく基準クロック信号に基づいて動作する。そして、同期処理システム８００が、基準クロック信号に基づき、ＮＴＰサーバから受信したＮＴＰパケットが所定のスロット（本例では第１０１スロット）に格納されるように伝送フレームを生成する。
【００７７】
したがって、受信側信号処理装置４００が、時刻をより高い精度で示すことができるＮＴＰパケットを含む伝送フレームを送信することができる。
【００７８】
実施形態３．
次に、第３の実施形態の同期処理システムについて、図面を参照して説明する。図９は、第３の実施形態の同期処理システムの構成例を示すブロック図である。
【００７９】
図９に示すように、第３の実施形態の同期処理システム３１は、受信部１１、記憶部１３、伝送フレーム生成部１４、時刻用クロック信号生成部２３、および時刻パケット生成部２５を含む。
【００８０】
同期処理システム３１は、例えば、図１および図３に示す第１の実施形態における同期処理システム３００に相当する。受信部１１は、例えば、図３に示す第１の実施形態における受信部３１１に相当する。記憶部１３は、例えば、図３に示す第１の実施形態におけるバッファ部３１３−１，３１３−２に相当する。伝送フレーム生成部１４は、例えば、図３に示す第１の実施形態における多重化部３１４に相当する。時刻用クロック信号生成部２３は、例えば、図３に示す第１の実施形態におけるカウンタ用クロック信号生成部３２３に相当する。時刻パケット生成部２５は、例えば、図３に示す第１の実施形態におけるＮＴＰパケット生成部３２５に相当する。なお、時刻パケット生成部２５は、図３に示す第１の実施形態におけるカウンタ３２４、およびＮＴＰパケット生成部３２５に相当していてもよい。
【００８１】
受信部１１は、送信されたフレームを受信する。
【００８２】
記憶部１３には、受信部１１が受信したフレームに含まれているパケットが記憶される。
【００８３】
伝送フレーム生成部１４は、基準となるクロック信号である基準クロック信号に基づくタイミングで、記憶部１３に記憶されているパケットに基づき、所定のスロットに時刻を示すための時刻パケットが格納された伝送フレームを生成する。なお、所定のスロットとは、例えば、伝送フレームにおける低階層のスロットのいずれかであり、具体的には、例えば、第１０１スロットである。また、時刻パケットは、例えば、ＮＴＰ形式のＩＰパケットである。
【００８４】
時刻用クロック信号生成部２３は、時刻パケットを生成するためのクロック信号である時刻用クロック信号を生成する。
【００８５】
時刻パケット生成部２５は、時刻用クロック信号生成部２３が生成した時刻用クロック信号に基づいて、時刻パケットを生成する。
【００８６】
基準クロック信号および前記時刻用クロック信号は、受信部１１が受信したフレームの送信元で行われた生成処理および送信処理におけるクロック信号とは別個に生成された信号である。
【００８７】
なお、受信部１１が受信したフレームの送信元は、例えば、第１の実施形態における送信側信号処理装置２１０に相当する。そして、受信部１１が受信したフレームに行われた生成処理および送信処理は、例えば、図５に示すステップＳ１０３の処理に相当する。
【００８８】
本実施形態によれば、フレームの送信元と伝送フレーム生成手段とが別個に生成されたクロック信号に基づいてそれぞれ動作し、互いのクロック信号の周期に差異が生じた場合であっても、同期処理システム３１が、所定のスロットに時刻パケットが格納された伝送フレームを生成する。
【００８９】
したがって、同期処理システム用にＮＴＰサーバを設置したり、伝送フレームを生成する度にＮＴＰサーバと通信するための手段を用意したりすることなく、適切な時刻パケットが適切なスロットに格納された伝送フレームを生成することができる。
【符号の説明】
【００９０】
１１、３１１、４０１    受信部
１３    記憶部
１４    伝送フレーム生成部
２３    時刻用クロック信号生成部
２５    時刻用パケット生成部
３１、３００、８００    同期処理システム
２００    委託局
２１０    送信側信号処理装置
２１１    ＭＭＴ多重部
２１２    ＴＬＶ多重部
２２０    クロック信号提供装置
３１０    入出力装置
３１２    分配部
３１３−１、３１３−２    バッファ部
３１４    多重化部
３１５、４０３    送信部
３２０、８２０    同期処理用装置
３２１    信号源
３２２    基準クロック信号生成部
３２３    カウンタ用クロック信号生成部
３２４    カウンタ
３２５    ＮＴＰパケット生成部
４００    受信側信号処理装置
４０２    変調部
５００    信号処理システム
６００    受託局
７００    送信設備
８２３    ＮＴＰサーバ通信部
【図１】
2018182662.tif 000003
【図２】
2018182662.tif 000004
【図３】
2018182662.tif 000005
【図４】
2018182662.tif 000006
【図５】
2018182662.tif 000007
【図６】
2018182662.tif 000008
【図７】
2018182662.tif 000009
【図８】
2018182662.tif 000010
【図９】
2018182662.tif 000011